(57)【要約】【課題】  雨水を貯留・管理し、安定的に維持しつつ、緊急の際に使用できるためのシステムを提供すること。【解決手段】  雨水のゴミを取り除くフィルター６と、このフィルター６によって処理された雨水を受け入れて貯留するタンク２，３と、このタンク２，３の水を汲み出して移送するポンプ１８と、このポンプ１８で送られた水を送る浄化路１９Ａ，１９Ｂと、水を浄化する浄化装置１４とが設けられたものであって、前記浄化装置１４によって処理された処理水を前記タンク２に移送する移送路１５と、ポンプ１８で移送された水をタンク３から外方に導出する導出路２１とが設けられていることを特徴とする雨水活用システム１によって達成される。【選択図】          図５
2019127780.tif 000002
【特許請求の範囲】
【請求項１】
雨水のゴミを取り除くフィルターと、このフィルターによって処理された雨水を受け入れて貯留するタンクと、このタンクの水を汲み出して移送するポンプと、このポンプで送られた水を送る浄化路と、この浄化路を通った水を浄化する浄化装置とが設けられたものであって、前記浄化装置によって処理された処理水を前記タンクに移送する移送路と、ポンプで移送された水をタンクから外方に導出する導出路とが設けられていることを特徴とする雨水活用システム。
【請求項２】
前記タンクは、雨水及び処理水を受け入れる第一のタンクと、この第一のタンクに貯留した水が所定の最低貯留量以上となったときにオーバーフローした量の水を移動させて貯留する第二のタンクとが設けられており、前記浄化装置は、前記第二のタンクからの水を処理するようになっている請求項１に記載の雨水活用システム。
【請求項３】
前記第一のタンクには、最下部において沈澱したゴミを外方に導出する沈澱物導出口と、この沈澱物導出口よりも上方であって、前記最低貯留量以上となったときに水を前記第二のタンクに導出する雨水導出路とが設けられている請求項２に記載の雨水活用システム。
【請求項４】
前記第一のタンクには、前記沈澱物導出口と前記雨水導出路との間位置において、停電時であっても当該第一のタンクに貯留した水を外方に導出可能な緊急時導出ラインが設けられている請求項２または３に記載の雨水活用システム。
【請求項５】
前記浄化装置には、より高速で水を処理する高速浄化器と、より低速で水を処理する低速浄化器との二種類の浄化器が設けられており、前記高速浄化器には微生物付着用のろ材を、前記低速浄化器には有機物付着用のろ材が備えられている請求項１〜４のいずれか一つに記載の雨水活用システム。
【請求項６】
前記タンクには貯留水量を検出する貯水センサが、前記移送路には水量を検出する移送水量検出センサが、前記導出路には外方に導出された水量を検出する導出量検出センサが、それぞれ設けられており、この雨水活用システムが設けられている場所から離れた遠隔地において、前記各センサからの信号を受信可能な受信装置が設けられている請求項１〜５のいずれか一つに記載の雨水活用システム。
【請求項７】
樋に集められた雨水のゴミを取り除いた後に貯留用のタンクに導くタンク貯留工程、前記タンクに貯留された水をポンプで浄化装置に送液して浄化処理する浄化工程、浄化された水を前記タンクに導入する第二のタンク貯留工程、必要に応じて前記タンクに貯留された水をポンプで外部に導出して使用する貯留水使用工程を備えたことを特徴とする雨水活用方法。
【請求項８】
前記浄化工程は、貯留された水を少なくとも一日に２回転以上実施することを特徴とする請求項７に記載の雨水活用方法。
【請求項９】
前記タンクは、前記タンク貯留工程及び第二のタンク貯留工程に使用する第一のタンクと、この第一のタンクにおける所定の高さ位置から溢れた水が移送されると共に前記ポンプによる送液が行なわれる第二のタンクとに分けて設けられていることを特徴とする請求項７または８に記載の雨水活用方法。
【請求項１０】
前記浄化装置には、より高速で水を処理する高速浄化器と、より低速で水を処理する低速浄化器との二種類の浄化器が設けられており、前記高速浄化器では好気的な微生物の浄化が、前記低速浄化器では有機物の浄化が行われることを特徴とする請求項７〜９のいずれか一つに記載の雨水活用方法。
【請求項１１】
前記低速浄化器への水の流速と高速浄化器への水の流速の比率は、１：５〜１０の範囲で設定されている請求項１０に記載の雨水活用方法。
【請求項１２】
前記タンクの貯留水量、前記第二のタンク貯留工程を実施するときの水の送液量、前記貯留水使用工程を実施するときの水の使用量をそれぞれ検出する検出工程、及び検出されたデータを遠方に伝える伝達工程を設けた請求項７〜１１のいずれか一つに記載の雨水活用方法。
【発明の詳細な説明】
【技術分野】
【０００１】
本発明は、雨水活用システム等に関する。
【背景技術】
【０００２】
従来より、雨水を貯留し、散水・トイレ・洗車用水・洗濯・お風呂などに利用する技術開発が行われている（例えば特許文献１〜特許文献１０を参照）。これらの技術は、単に雨水を貯水するための水槽、汚れた初期雨水を排除する方法や装置、雨水を滅菌処理する方法や装置、雨水を浄化する方法や装置などに関するものであった。
【先行技術文献】
【特許文献】
【０００３】
【特許文献１】特開２０００−２３３１９３号公報
【特許文献２】特開２００１−０５９２３９号公報
【特許文献３】特開２００２−１６７８１３号公報
【特許文献４】特開２００４−３０８３８２号公報
【特許文献５】特開２００５−３１３１３４号公報
【特許文献６】特開２００５−３５０８６７号公報
【特許文献７】特開２０１１−１３１２０１号公報
【特許文献８】特開２０１６−０９４７６１号公報
【特許文献９】特開２０１６−１０８８６１号公報
【特許文献１０】実用新案第３０３７２６１号
【発明の概要】
【発明が解決しようとする課題】
【０００４】
しかしながら、上記技術については、雨水を貯留・管理し、災害時等の非常時に使用するための工夫が十分になされているとは言えず、更なる改良の余地があった。
本発明は、上記した事情に鑑みてなされたものであり、その目的は、雨水を貯留・管理し、安定的に維持しつつ、緊急の際に使用できるためのシステムを提供することである。
【課題を解決するための手段】
【０００５】
本発明者は、単に雨水を貯留して再使用するのではなく、雨水をろ材等で循環浄化する方式に考え至り、基本的には本発明を完成するに至った。
こうして、上記目的を達成するための発明に係る雨水活用システムは、雨水のゴミを取り除くフィルターと、このフィルターによって処理された雨水を受け入れて貯留するタンクと、このタンクの水を汲み出して移送するポンプと、このポンプで送られた水を送る浄化路と、この浄化路を通った水を浄化処理する浄化装置とが設けられたものであって、前記浄化装置によって処理された処理水を前記タンクに移送する移送路と、ポンプで移送された水をタンクから外方に導出する導出路とが設けられていることを特徴とする。
【０００６】
上記発明において、タンクは１台であっても良いし、２台以上のものを設けても良い。また、２台設けた前記タンクは、雨水及び処理水を受け入れる第一のタンクと、この第一のタンクに貯留した水が所定の最低貯留量以上となったときにオーバーフローした量の水を移動させて貯留する第二のタンクとが設けられており、前記浄化装置は、前記第二のタンクからの水を処理するようになっていることが好ましい。また、このとき、前記第一のタンクには、最下部において沈澱したゴミを外方に導出する沈澱物導出口と、この沈澱物導出口よりも上方であって、前記最低貯留量以上となったときに水を前記第二のタンクに導出する雨水導出路とが設けられていることが好ましい。更にこのとき、前記第一のタンクには、前記沈澱物導出口と前記雨水導出路との中間位置において、停電時であっても当該第一のタンクに貯留した水を外方に導出可能な緊急時導出ラインが設けられていることが好ましい。
また、上記発明において、前記浄化装置には、より高速で水を処理する高速浄化器と、より低速で水を処理する低速浄化器との二種類の浄化器が設けられており、前記高速浄化器には、微生物付着用のろ材を、前記低速浄化器には、有機物付着用のろ材を備えることが好ましい。ろ材としては、PVA、活性炭、限外ろ過膜、セラミックス、発泡ガラス、不織布などを用いることができる。
【０００７】
上記発明において、ポンプは、一台のみを設けて、前記浄化装置への移送と、外方への水の導出との両方に使用することが好ましい。このようにすれば、二台以上のポンプを用いる場合に比べると、システム全体の構成を簡略化できる。また、このときには、前記ポンプによって浄化装置に水を移送するタイミングを設定するタイマーと、このタイマーによって前記浄化路を開閉する電磁弁とが設けられていることが好ましい。このようにすれば、手動に依ることなく、適当な時間を経過したところで、水をタンクから浄化装置に移送できる。
なお、ポンプは、複数台のものを設けることもできる。
上記発明において、前記タンクには貯留水量を検出する貯水センサが、前記移送路には水量を検出する移送水量検出センサが、前記導出路には外方に導出された水量を検出する導出量検出センサが、それぞれ設けられており、この雨水活用システムには、当該システムが設けられている場所から離れた遠隔地において、前記各センサからの信号を受信可能な受信装置が設けられていることが好ましい。
このような構成とすれば、タンクへの貯留水量や循環量を遠隔地において監視できる。
【０００８】
また、別の発明に係る雨水活用方法は、樋に集められた雨水のゴミを取り除いた後に貯留用のタンクに導くタンク貯留工程、前記タンクに貯留された水をポンプで浄化装置に送液して浄化処理する浄化工程、浄化された水を前記タンクに導入する第二のタンク貯留工程、必要に応じて前記タンクに貯留された水をポンプで外部に導出して使用する貯留水使用工程を備えたことを特徴とする。
このようにすれば、タンクに貯留された雨水は、浄化装置で処理された後に、再度タンクに貯留される。このように、雨水は単に貯留しただけではなく、貯留中に何度も浄化処理されることになるので、雨水を長期間に渡って生活用水として利用できる水質に維持した状態とできる。
なお、タンクの貯留水は、貯留可能な最大の量に対して、３０％〜５０％程度の量を保持しておくことが好ましい。
【０００９】
上記発明において、前記浄化工程は、貯留された水を少なくとも一日に２回転以上実施することが好ましい。本発明者の検討によれば、雨水を所定の水質に維持するためには、少なくとも一日に２回転以上（好ましくは、３、４回転程度）の割合で浄化工程を実施すれば良いことがわかった。そこで、上記のように処理することで、貯留している雨水の性質を、より好ましい状態で長期間に渡って維持できる。このとき、貯留水が、一日に少なくとも１回転以上の浄化処理を行える程度の量として、浄化工程を実施するのが好ましい。そのようにすれば、貯留水の品質を長期間に渡って、一定以上に維持できる。なお、ポンプは常時稼働しても、間欠に稼働してもよい。
また、上記発明において、前記タンクは、前記タンク貯留工程及び第二のタンク貯留工程に使用する第一のタンクと、当該第一のタンクにおける所定の高さ位置から溢れた水が移送されると共に前記ポンプによる送液が行なわれる第二のタンクとに分けて設けられていることが好ましい。
【００１０】
このようにすれば、第一のタンクにおいて、樋から導入された雨水は、適当な大きさの物質が下層に沈み込み、上層のよりきれいな水が第二のタンクに送られる。水は、第二のタンクからポンプによって浄化装置に送られた後に、再び第一のタンクに導入される。このとき、第一のタンクでは、雨水の流れ込み及び浄化装置からの流れ込みによって適当に撹拌された後、上層の水が第二のタンクに送られる。このように、全体の水を適度に撹拌しつつ、浄化処理することになる。なお、貯留水使用工程においては、第二のタンクの水が使用される。
また、上記発明において、前記浄化装置には、より高速で水を処理する高速浄化器と、より低速で水を処理する低速浄化器との二種類の浄化器が設けられており、前記高速浄化器では好気的な微生物の浄化が、前記低速浄化器では有機物の浄化が行われることが好ましい。このとき、低速浄化器への水の流速と高速浄化器への水の流速の比率は、１：５〜１０の範囲で設定することが好ましい。
【００１１】
このようにすれば、雨水中の浮遊物の除去率を効率よく高めることができる。
また、上記発明において、前記タンクの貯留水量、前記第二のタンク貯留工程を実施するときの水の送液量、前記貯留水使用工程を実施するときの水の使用量をそれぞれ検出する検出工程、及び検出されたデータを遠方に伝える伝達工程を設けることが好ましい。
このようにすれば、雨水の貯留水量や循環量を遠方にて把握・管理できる。
なお、上記発明において、ポンプは、一台のみを設けて、浄化工程と貯留水使用工程の両方に用いることもできるし、複数台を設けて、各工程の実施に専用に設けることもできる。但し、一台のみを設けることで、全体の構成を簡略化できる。また、一台のみのポンプとする場合には、浄化工程を実施するときの送水をタイマーと電磁弁を用いて、所定の時間だけ実施するようにできる。
【発明の効果】
【００１２】
このように、本発明によれば、雨水を貯留・管理し、安定的に維持しつつ、緊急の際に使用できるためのシステムを提供できる。
また、次のような効果を得ることができる。
（１）雨水を貯留しておき、長期間に渡って、生活用水・農業用水・洗車用水などに利用できる。このとき、植物への散水やトイレの洗浄水に利用する場合はタンクからの水をそのまま使用し、車の洗車用水やシャワー・お風呂・手洗い水などの生活用水に利用する場合は高性能フィルターを通して利用することができる。
（２）各センサを設けることにより、タンク内の貯留水量、タンクと浄化装置との間を循環する水量、外方に導出して使用した水量を遠隔監視できるので、使い出の良いシステムとなる。
【図面の簡単な説明】
【００１３】
【図１】実験１及び実験２を実施中の各タンク内の貯留水量を示すグラフである。
【図２】実験１の終了時における各タンク内の貯留水の色度（Ａ）と濁度（Ｂ）を示すグラフである。
【図３】試験開始から13日目の各タンク内の貯留水の状態（Ａ．タンク１、Ｂ．タンク２、Ｃ．タンク３）を写した写真図である。
【図４】本実施形態の雨水活用システムを評価する際の実機の写真図である。
【図５】雨水活用システムの全体の構成を示す概要図である。
【図６】浄化装置の内部構成を示す図である。
【図７】雨水活用システムにおける水の経路を説明する図である。
【図８】第一のタンクと第二のタンクにおける雨水の動きを示す流れ図である。
【図９】タイマーでポンプを駆動するときの操作概要を示す流れ図である。
【図１０】水を外方に導出するときの操作概要を示す流れ図である。
【図１１】雨水活用システムと遠隔地との間の信号の送受信を示す流れ図である。
【発明を実施するための形態】
【００１４】
次に、本発明の実施形態について、図表を参照しつつ説明するが、本発明の技術的範囲は、これらの実施形態によって限定されるものではなく、発明の要旨を変更することなく様々な形態で実施することができる。
＜試験例＞
本実施形態の雨水活用システムを評価するために、雨水の保存条件を変化させて、実地試験によって各方法による雨水の保存性能を評価した。
１．試験方法
発明者が所属する会社の屋根（約50平方メートル程度）に降った雨水について、樋を経由して流れたものを回収し、3個のタンク（φ760mm×H1240mmの円筒形（容量約500L）、SUS304製）に分けて貯留した。
【００１５】
（１）実験１
雨水を原水槽に貯留した後、これをタンク１〜タンク３に均等量に分けて貯留した。これを7日間に渡って、下記方法で貯留した。
タンク１：雨水を貯留したままとした。
タンク２：ポンプを用いて循環させた。ポンプとして、エーハイム水陸1250 28W、10L/min−1.25mを用いた。
タンク３：ポンプを用いて循環させつつ、循環路の途中に浄化装置（浄化器）を用いた。ポンプとして、エーハイム水陸1250 28W、10L/min−1.25mを用いた。また、浄化装置として、エーハイム2210を用いた。浄化装置に用いた浄化器として、より高速で水を処理する高速浄化器（容量1L×2個）と、より低速で水を処理する低速浄化器（容量1L×1個）との二種類の浄化器を設けた。このうち、高速浄化器には微生物付着用のろ材を、低速浄化器には有機物付着用のろ材が備えられているものを用いた。また、低速浄化器への流速と高速浄化器への流速の比率は、１：５〜１０の範囲とした。
実験開始日の２日前に降った雨水（約500L）をタンク１に100L、タンク２及びタンク３に200Lずつ分配した（各タンクについては貯留したままとした）。実験開始日に降った雨水（約880L）をタンク１に360L、タンク２及びタンク３に260Lずつ分配・追加した。こうして、各タンクに約460Lずつの雨水を貯留した後、実験を開始した。
7日目に実験１を終了した。
【００１６】
（２）実験２
実験１が終了した後、そのまま引き続いてタンク１〜タンク３を用いた実験２を実施した。実際の雨水利用を考慮して、1日あたりに約70Lの貯留水を毎日抜き出した（但し、土、日、祭日は休みとした）。実験期間中に雨が降ったときには、雨水を均等にタンク１〜タンク３に追加・貯留した。具体的には、実験１の開始から12日目に約170Lずつの雨水を、15日目に約170Lずつの雨水を、19日目に約45Lずつの雨水を、20日目に約100Lずつの雨水を、25日目に約170Lずつの雨水を、それぞれ各タンクに追加した。
タンクが空になったときは、貯留水の抜き出しを止める条件とした（但し、実際には、タンクが空になる前に次の雨が降ったため空にはならなかった）。
（３）実験１，２において、各タンクに貯留した雨水について、試験開始日、7日目、13日目及び20日目に、pH、色度、濁度、一般細菌、大腸菌、亜硝酸態窒素、亜硝酸態窒素および硝酸態窒素、塩化物イオン、有機物（TOC）、臭気及び残留塩素を測定した。
また、実験期間中に各タンクの槽内状況（固形物の堆積、壁面の状態）およびろ材の状態（色、汚泥）を目視にて観察すると共に写真撮影を行った。
【００１７】
２．試験結果
試験は、9月8日〜10月5日にかけて行った。雨水の平均的な温度は、28℃〜30℃であった。試験開始からの各タンクの貯留水量の推移を図１に示した。
（１）実験１の結果
試験開始前と7日目の分析結果を表１に、色度及び濁度の変化を図２に示した。
【００１８】
【表１】
2019127780.tif 000003
【００１９】
試験開始時の一般細菌については、タンク１が、タンク２及びタンク３のデータに比べて、１／１０以下であった。これは、タンク１と、タンク２，３とでは、開始時に用いた雨水の日時が一部異なっていたことが原因であると考えられた。試験開始日に降った雨が豪雨であったため、一般細菌が少なかったものと考えられた。
図２に示すように、タンク３では、色度及び濁度が他のタンクに比べて、大幅に小さくなったことから、浄化装置（二種類の浄化器）を用いた効果が大きいことが分かった。
（２）実験２の結果
試験開始から7日目、13日目及び20日目の分析結果を表２に示した。
【００２０】
【表２】
2019127780.tif 000004
【００２１】
試験時期は、比較的に降水量が多く、雨水はそれほど汚れていなかったため、タンク１〜タンク３において、大きな差が認められず、色度及び濁度共に上水道基準値の範囲内に収まっていた。但し、一般細菌数、色度及び濁度の点では、タンク３の水質が最も良好であった。
試験開始から13日目にタンク内部の様子を観察したところ、タンク１は明らかに透明感が低下し、淀んでいたのに比べ、タンク３ではスッキリとしており透明感が強かった（図３を参照）。また、タンク２，３では、タンク１に比べて、臭気が強いように感じられた。これは、ポンプで循環させている水が水面に落ちるときに、臭気がタンク内に拡散するためであると考えられた。
このように、雨水を貯留した水について、浄化装置を用いて、ポンプで循環させた場合には、水質を良好に維持できることが分かった。
【００２２】
＜雨水活用システムの構成＞
次に、図４〜図６を参照しつつ、本実施形態の雨水活用システム１（以下、単に「システム１」という）の構成について説明する。図４には、実際のシステム（のプレタイプ）を屋根の下方に設置した状態を示す写真図である。
本実施形態のシステム１は、100平方メートル〜500平方メートル程度の面積を備えた屋根４に降る雨水に対応するものである。システム１には、二基のタンク２，３が設けられている。このうち、図５の右側に示す第一のタンク２は、屋根４に降った雨水が樋５を通じて流れ込む。また、図示左側の第二のタンク３には、第一のタンク２に所定量以上の雨水が溜まったときに、オーバーフローした貯留水８が移動してくる。
各タンク２，３は、同じ大きさのものであり、最大容量がそれぞれ約5トン程度とされている。第一のタンク２において、樋５からの雨水が流れ込むところには、雨水のゴミを取り除くフィルター６が設けられている。このフィルター６は、大きなゴミ（樋５に溜まった枯葉など）を取り除くものであり、数ミリメートル程度の方形状のメッシュを備えたステンレス製のものやプラスチック製のものを用いることができる。
【００２３】
第一のタンク２の最下部には、沈澱したゴミを外方に導出するための沈澱物導出口１０が設けられている。この沈澱物導出口１０は、常には閉止されており、適当な期間（約６ヶ月〜２年程度）を経過後に開放して、ゴミを排出する。沈澱物導出口１０よりも上方であって、雨水導出路７の位置よりも下側の中間位置（本実施形態では、貯留水８が２トン程度となる位置）には、貯留水８を外方に導出可能な緊急時導出ライン１１が設けられている。この緊急時導出ライン１１は、停電時においても手作業によって開閉が可能であり、貯留水８の圧力によって、水を外方に導出するようになっている。
また、第一のタンク２の下端には、貯留水８の量を検出する貯水センサ１２が設けられている。この貯水センサ１２はコンピュータ１３に連結されている。
また、第一のタンク２の上端付近には、後述する浄化装置１４によって浄化された水が移送される移送路１５が連結されている。移送路１５の開口は、第一のタンク２の下端付近に設置されている。
また、第一のタンク２と第二のタンク３との間には、雨水導出路７が設けられている。雨水導出路７は、タンク２，３の高さ方向において、下から約７分目程度の高さ位置に設置されている。第一のタンク２の貯留水８の量が所定の最低貯留量（本実施形態では、約４トン程度）を超えると、雨水導出路７を通じて、貯留水８がオーバーフローして、第二のタンク３に流れ込むようになっている。
【００２４】
第二のタンク３の下端付近には、貯留水９を外方に導出可能な緊急時導出ライン１６が設けられている。緊急時導出ライン１６は、停電時においても手作業によって開閉が可能であり、貯留水９の圧力によって、水を外方に導出するようになっている。また、第二のタンク３の下端には、貯留水９の量を検出する貯水センサ１７が設けられている。この貯水センサ１７はコンピュータ１３に連結されている。
第二のタンク３において、第一のタンク２が設けられている側とは逆側には、下部にポンプ１８が設けられている。ポンプ１８は、第二のタンク３の貯留水９を汲み出し、浄化路１９Ａ，１９Ｂを通じて浄化器２２，２３に送液すると共に、導出路２１を通じてシステム１の外方に導出する。このポンプ１８は、後述のタイマー２７による電磁弁２８の開閉のタイミングと一致して駆動・停止するように設定されている。
【００２５】
浄化装置１４には、図６に示すように、浄化路１９Ａ，１９Ｂに設けられる二種類の浄化器２２，２３と、導出路２１に設けられる浄化器２４とが備えられている。このうち、浄化路１９Ａ，１９Ｂに設けられる浄化器２２，２３は、より高速で雨水を処理する二台の高速浄化器２２と、より低速で雨水を処理する一台の低速浄化器２３である。高速浄化器２２には、主として微生物付着用のろ材が、低速浄化器２３には、主として有機物付着用のろ材が備えられている。高速浄化器２２については、二台の同じ性能のものが浄化路１９Ａに対して、並列に設けられている。また、浄化路１９Ａ，１９Ｂにおいて、各浄化器２２，２３の上流側には、流速を調整する調整バルブ２０，２６が設けられている。
また、調整バルブ２６は、浄化路１９Ｂにおいて、低速浄化器２３の上流に設けられている。浄化路１９Ａ，１９Ｂが枝分かれする前の地点には、タイマー２７によって作動する電磁弁２８が設けられている。タイマー２７は、２４時間式のものであり、一日のうち所定の時間だけ電磁弁２８を開放し、浄化路１９Ａ，１９Ｂに貯留水９を流すようになっている。本実施形態では、一日に３〜４回の駆動と停止を繰り返し、貯留水８，９を循環させるようになっている。調整バルブ２０，２６は、各浄化器２２，２３への流速の比率を変化できるように設けられている。低速浄化器２３への水の流速と高速浄化器２２への水の流速の比率は、１：５〜１０の範囲で設定されている。
【００２６】
また、導出路２１に設けられる浄化器２４は、限外浄化膜を備えたものである。導出路２１において、浄化器２４の上流側には、流量を調整する調整バルブ２９が設けられている。さらに、浄化器２４を通さずに貯留水９を植物への散水等に利用するためにバイパス路３６および調整バルブ３７が設けられている。導出路２１の開放端側には、開閉バルブ３０と導出口３５が設けられている。開閉バルブ３０を開放すると、ポンプ１８が駆動されることで、導出路２１を介して、貯留水９が導出口３５を通じて外方に導出される。また、開放バルブ３０の閉止操作によって、ポンプ１８への給電は停止される。また、導出路２１において、浄化器２４の下流側には、導出量検出センサ３３が設けられている。この導出量検出センサ３３は、コンピュータ１３に連結されている。
また、浄化路１９Ａ，１９Ｂにおいて、浄化器２２，２３の下流側には、雨水を第二のタンク３に移送する移送路３１Ａ，３１Ｂ，１５が設けられている。各移送路３１Ａ，３１Ｂには、水量を検出する移送水量検出センサ３２Ａ，３２Ｂが設けられている。各センサ３２Ａ，３２Ｂは、コンピュータ１３に連結されている。また、移送路３１Ａ，３１Ｂの下流側は、一本の移送路１５に連結され、その他端側は、第一のタンク２の下端付近に設置されている。
浄化器２２，２３について、２種類の流速で浄化するメリットとして、次のような効果がある。
（１）流速の速い浄化と遅い浄化により、雨水中の浮遊物の除去率を高められる。
（２）流速の速い浄化では好気的な微生物の付着、流速の遅い浄化では嫌気的な微生物の付着し、雨水に溶けている有機物の高度な浄化処理ができる。
（３）流速の速い浄化に微生物の担持性が高いろ材、遅い浄化に脱臭・脱色の能力が高いろ材を使用することでより高度な処理ができる。
コンピュータ１３は、システム１の制御を行うと共に、各センサ１２，１７，３２Ａ，３２Ｂ，３３による検出データを取り込んで、遠隔地に設けられた別のコンピュータ３４（本発明における「受信装置」に該当する）との間で互いに信号の送受信を行えるようになっている。
【００２７】
＜雨水活用システムの駆動状態についての説明＞
次に、上記のように構成されたシステム１の駆動状態について、図７〜図１１を参照しつつ説明する。
１．雨水及び貯留水の動き
まず、図７を参照しつつ、システム１における雨水及び貯留水の流れについて説明する。屋根４に降った雨は、樋５を伝って、下方に流れる（Ｓ１００）。樋５を伝った雨水は、フィルター６を通して、第一のタンク２に流入し（Ｓ１１０）、第一のタンク２に貯留される（Ｓ１２０：タンク貯留工程）。第一のタンク２内の貯留水８が、最低貯留水量（雨水導出路７の高さ位置）を超えると、貯留水８が雨水導出路７を通じて、第二のタンク３に流入する（Ｓ１３０：タンク貯留工程）。
第二のタンク３に貯留した貯留水９（Ｓ１４０）は、ポンプ１８の駆動によって、浄化装置１４に流入し（Ｓ１５０）、浄化装置１４によって処理される（浄化工程）。その後、移送路１５を通して、第一のタンク２に再度流入する（Ｓ１６０，Ｓ１２０：第二のタンク貯留工程）。こうして、第一のタンク２、第二のタンク３及び浄化装置１４という貯留水のループができる。
一方、貯留水９を使用する際には、第二のタンク３に貯留した貯留水（Ｓ１４０）をポンプ１８の駆動によって、導出路２１を通して、開閉バルブ３０から外方に導出される（貯留水使用工程）。
このように、貯留水８，９を循環させつつ浄化処理（循環浄化）することによって、次のような効果を奏する。
（１）全体のタンクの容量を小さくできる。
（２）新しく流入する雨水がない場合でも、災害用に使用するための貯留水８，９の腐る可能性を低くできる。
（３）循環浄化した貯留水８，９をタンク２，３に送水するときに空気に触れるので酸素補給できる。
（４）シャワーやふろ用の水を活用するための限外浄化膜（浄化器２４）の目詰まりがしにくくなる。
【００２８】
２．第一のタンクと第二のタンクの間の雨水の流れ
図８に示すように、雨が降ると（Ｓ２００においてＹＥＳ）、樋５を通して雨水が第一のタンク２に流入する（Ｓ２１０）。ここで、第一のタンク２の貯留水量が最低貯留水量を超えた場合（Ｓ２２０においてＹＥＳ）には、貯留水８が雨水導出路７を介して、第二のタンク３に移送されて貯留水９となる（Ｓ２３０）。
なお、雨が降っていない場合においても（Ｓ２００においてＮＯ）、所定の時間毎にポンプ１８の駆動によって、浄化装置１４を通じて貯留水９が第一のタンク２に流入してくる。この場合にも、第一のタンク２の貯留水量が最低貯留水量を超える場合（Ｓ２２０においてＹＥＳ）があり得る。
【００２９】
３．タイマーでポンプを駆動するときの貯留水の流れ
図９には、所定の時間毎（例えば、一日に３または４回の浄化処理を行う場合）に、タイマー２７でポンプ１８を駆動させる場合の貯留水の流れを示した。このとき、全貯留水８，９が、少なくとも一日に一回転以上は、浄化装置１４による浄化処理を行う程度の流量としている。
所定の時間が来ると（Ｓ３００においてＹＥＳ）、ポンプ１８の駆動を行い、第二のタンク３に貯留した貯留水９を浄化装置１４に送液する（Ｓ３１０）。浄化装置１４では、二種類の浄化器２２，２３によって、処理速度を異ならせながら、貯留水９の浄化処理が行われる（Ｓ３２０）。浄化処理後の貯留水９は、移送路１５を通じて、再度第一のタンク２に導入される（Ｓ３３０）。
【００３０】
４．水をシステム１の外方に導出するときの操作概要
図１０には、貯留水９をシステム１の外方に取り出すときの操作概要を示した。
導出路２１の開放端側にある開閉バルブ３０が開かれると（Ｓ４００においてＹＥＳ）、ポンプ１８を駆動することで、導出路２１を介して、第二のタンク３の貯留水９が導出口３５を通じて外方に導出される（Ｓ４１０）。
また、開閉バルブ３０が閉止されると、ポンプ１８への給電が停止され、ポンプの駆動が止まることで、導出口３５から水の導出が完了する（Ｓ４３０）。
【００３１】
５．システム１と遠隔地との間の信号の送受信
図１１には、システム１と遠隔地のコンピュータ３４との間の信号の伝達概要を示した。なお、遠隔地とは、システム１が見える程度の範囲（例えば、数百メートル程度）でも良いし、離島に設置したシステム１を別の都市で監理する程度の範囲（例えば、数十キロ〜数百キロ程度）でも良い。信号の伝達を行う送信ラインとしては、有線ＬＡＮ、無線ＬＡＮ、電話線、無線などを介して行うことができる。
システム１に設けられた各センサ１２，１７，３２Ａ，３２Ｂ，３３は、それぞれ貯留水量・送液量・外部への導出量を検出する（検出工程）。これらのデータは、適当な時間間隔（例えば、数秒、数分、数十分程度の任意の設定間隔）を隔てて、コンピュータ１３によって処理され、保存される（Ｓ５００）。次いで、各測定データを含む信号を送信ラインを通じて、遠隔地にある別のコンピュータ３４に送信する（Ｓ５１０：伝達工程）。一方、別のコンピュータ３４では、システム１の監視と管理が行われている。コンピュータ３４から、各センサ１２，１７，３２Ａ，３２Ｂ，３３による測定を終了する信号を送った場合（Ｓ５２０においてＹＥＳ）には、処理が完了する。
【００３２】
このように、本実施形態によれば、雨水の性質を長期間に渡って維持管理しつつ、緊急時には使用できるためのシステム１を提供できた。
各センサ１２，１７，３２Ａ，３２Ｂ，３３を設けることにより、タンク２，３内の貯留水量、タンク３と浄化装置１４との間を循環する水量、外方に導出して使用した水量を遠隔監視できるので、使い出の良いシステムとなった。
【符号の説明】
【００３３】
１…雨水活用システム、２…第一のタンク、３…第二のタンク、４…屋根、５…樋、６…フィルター、７…雨水導出路、８，９…貯留水、１０…沈殿物導出口、１１，１６…緊急時導出ライン、１２，１７…貯水センサ、１３…コンピュータ、１４…浄化装置、１５…移送路、１８…ポンプ、１９Ａ，１９Ｂ…浄化路、２１…導出路、２２…高速浄化器、２３…低速浄化器、２７…タイマー、２８…電磁弁、３１Ａ，３１Ｂ…移送路、３２Ａ，３２Ｂ…移送水量検出センサ、３３…導出量検出センサ、３４…別のコンピュータ（受信装置）
【図１】
2019127780.tif 000005
【図２】
2019127780.tif 000006
【図３】
2019127780.tif 000007
【図４】
2019127780.tif 000008
【図５】
2019127780.tif 000009
【図６】
2019127780.tif 000010
【図７】
2019127780.tif 000011
【図８】
2019127780.tif 000012
【図９】
2019127780.tif 000013
【図１０】
2019127780.tif 000014
【図１１】
2019127780.tif 000015